(57)【要約】      （修正有）【課題】整地体の姿勢を変更することで水田、畑等の性状の異なる圃場に適用すること。【解決手段】整地体２０は、取付体を介してリヤカバー体１９の先端部への取付姿勢を変更自在となすと共に、この取付姿勢は整地体の下面に形成した整地面とリヤカバー体の先端部の下面に形成した整地面を略同一平面上に配置した第一姿勢と、整地体２０の整地面とリヤカバー体１９の先端部の整地面とを略平行に段差をもたせて配置した第二姿勢とに変更自在となし、整地体２０の整地面から立ち上がり状に前面を形成して、同前面を耕耘土一時滞留生起面部となして、第二姿勢では、上記耕耘土一時滞留生起面部とリヤカバー体１９の先端部とを前後方向に一定幅離隔させて、耕耘土一時滞留生起面部の直前方に耕耘土一時滞留空間を形成している。【選択図】図５
2010279351.tif 000002
【特許請求の範囲】
【請求項１】
リヤカバー体の先端縁部の後方に取付体を介して整地体を取り付けたロータリ耕耘装置であって、
整地体は、取付体を介してリヤカバー体の先端部への取付姿勢を変更自在となすと共に、この取付姿勢は整地体の下面に形成した整地面とリヤカバー体の先端部の下面に形成した整地面を略同一平面上に配置した第一姿勢と、整地体の整地面とリヤカバー体の先端部の整地面とを略平行に段差をもたせて配置した第二姿勢とに変更自在となし、
整地体の整地面から立ち上がり状に前面を形成して、同前面を耕耘土一時滞留生起面部となして、
第二姿勢では、上記耕耘土一時滞留生起面部とリヤカバー体の先端部とを前後方向に一定幅離隔させて、耕耘土一時滞留生起面部の直前方に耕耘土一時滞留空間を形成したことを特徴とするロータリ耕耘装置。
【請求項２】
整地体の耕耘土一時滞留生起面部の上部には、土こぼれ防止体を前方へ張り出し状に設けて、
第二姿勢では、土こぼれ防止体をリヤカバー体の先端部に対向状態に近接状態に配置すると共に、同土こぼれ防止体で前記耕耘土一時滞留空間の上方を被覆したことを特徴とする請求項２記載のロータリ耕耘装置。
【請求項３】
リヤカバー体の先端縁部の後方に取付体を介して整地体を取り付けたロータリ耕耘装置であって、
整地体は、取付体を介してリヤカバー体の先端部への取付姿勢を変更自在となすと共に、この取付姿勢は整地体の下面に形成した整地面とリヤカバー体の先端部の下面に形成した整地面を略同一平面上に配置した第一姿勢と、整地体の整地面とリヤカバー体の先端部の整地面とを段差をもたせて配置した第二姿勢とに変更自在となし、
整地体の整地面から立ち上がり状に前面を形成して、同前面を耕耘土一時滞留生起面部となして、
第二姿勢では、上記耕耘土一時滞留生起面部とリヤカバー体の先端部とを前後方向に一定幅離隔させて、耕耘土一時滞留生起面部の直前方に耕耘土一時滞留空間を形成し、
前記整地体の整地面と耕耘土一時滞留生起面部とが接続する接続部は、前記第一姿勢では圃場面と接触しない非接地面部となす一方、前記第二姿勢では圃場面と接触する接地面部となすと共に、
接地面部は圃場面と接触する面の曲率半径を小となして整地面と略線接触するようにしたことを特徴とするロータリ耕耘装置。
【発明の詳細な説明】
【技術分野】
【０００１】
本発明は、ロータリ耕耘装置の整地体取付構造に関する。
【背景技術】
【０００２】
従来、ロータリ耕耘装置の一形態として、特許文献１に開示されたものがある。すなわち、かかるロータリ耕耘装置は、リヤカバー体の先端縁部に整地機能をもたせると共に、同先端縁部に取付体を介して整地体を着脱自在に取り付けている。そして、整地体はその取付姿勢を取付体により変更自在としており、リヤカバー体の先端縁部を中心にして略水平姿勢と後方へ下り傾斜姿勢の二つの姿勢に変更させることができるようにしている。このようにして、整地体をリヤカバー体から取り外した形態、又は整地体のリヤカバー体への取付姿勢を変更することで、水田ないしは畑等の性状に適応させるようにしている。
【先行技術文献】
【特許文献】
【０００３】
【特許文献１】特開２００８−１２５３６３号公報
【発明の概要】
【発明が解決しようとする課題】
【０００４】
ところが、前記したロータリ耕耘装置の場合、整地体の取付姿勢はリヤカバー体の先端縁部を中心にして姿勢を変更、すなわち、ほぼ同一軸芯廻りの回転移動させるだけであるために、特に砂地の畑地においては、整地体をいずれの姿勢に変更させても粘着性のないさらさらの砂は、リヤカバー体の先端部と整地体によって凸部が円滑に均平化されるだけで、耕耘爪による耕耘跡である凹部には砂が充填されて均平化されることがなかった。その結果、凹部はそのまま残されて十分に整地されていないために、圃場の仕上げ面としては美観が良くないという不具合があった。
【課題を解決するための手段】
【０００５】
そこで、本発明では、リヤカバー体の先端縁部の後方に取付体を介して整地体を取り付けたロータリ耕耘装置であって、整地体は、取付体を介してリヤカバー体の先端部への取付姿勢を変更自在となすと共に、この取付姿勢は整地体の下面に形成した整地面とリヤカバー体の先端部の下面に形成した整地面を略同一平面上に配置した第一姿勢と、整地体の整地面とリヤカバー体の先端部の整地面とを略平行に段差をもたせて配置した第二姿勢とに変更自在となし、整地体の整地面から立ち上がり状に前面を形成して、同前面を耕耘土一時滞留生起面部となして、第二姿勢では、上記耕耘土一時滞留生起面部とリヤカバー体の先端部とを前後方向に一定幅離隔させて、耕耘土一時滞留生起面部の直前方に耕耘土一時滞留空間を形成したことを特徴とするロータリ耕耘装置を提供するものである。
【０００６】
また、本発明は、整地体の耕耘土一時滞留生起面部の上部には、土こぼれ防止体を前方へ張り出し状に設けて、第二姿勢では、土こぼれ防止体をリヤカバー体の先端部に対向状態に近接状態に配置すると共に、同土こぼれ防止体で前記耕耘土一時滞留空間の上方を被覆したことにも特徴を有する。
【０００７】
また、本発明では、リヤカバー体の先端縁部の後方に取付体を介して整地体を取り付けたロータリ耕耘装置であって、整地体は、取付体を介してリヤカバー体の先端部への取付姿勢を変更自在となすと共に、この取付姿勢は整地体の下面に形成した整地面とリヤカバー体の先端部の下面に形成した整地面を略同一平面上に配置した第一姿勢と、整地体の整地面とリヤカバー体の先端部の整地面とを段差をもたせて配置した第二姿勢とに変更自在となし、整地体の整地面から立ち上がり状に前面を形成して、同前面を耕耘土一時滞留生起面部となして、第二姿勢では、上記耕耘土一時滞留生起面部とリヤカバー体の先端部とを前後方向に一定幅離隔させて、耕耘土一時滞留生起面部の直前方に耕耘土一時滞留空間を形成し、前記整地体の整地面と耕耘土一時滞留生起面部とが接続する接続部は、前記第一姿勢では圃場面と接触しない非接地面部となす一方、前記第二姿勢では圃場面と接触する接地面部となすと共に、接地面部は圃場面と接触する面の曲率半径を小となして整地面と略線接触するようにしたことを特徴とするロータリ耕耘装置を提供するものである。
【発明の効果】
【０００８】
（１）請求項１記載の発明は、リヤカバー体の先端縁部の後方に取付体を介して整地体を取り付けたロータリ耕耘装置であって、整地体は、取付体を介してリヤカバー体の先端部への取付姿勢を変更自在となすと共に、この取付姿勢は整地体の下面に形成した整地面とリヤカバー体の先端部の下面に形成した整地面を略同一平面上に配置した第一姿勢と、整地体の整地面とリヤカバー体の先端部の整地面とを略平行に段差をもたせて配置した第二姿勢とに変更自在となし、整地体の整地面から立ち上がり状に前面を形成して、同前面を耕耘土一時滞留生起面部となして、第二姿勢では、上記耕耘土一時滞留生起面部とリヤカバー体の先端部とを前後方向に一定幅離隔させて、耕耘土一時滞留生起面部の直前方に耕耘土一時滞留空間を形成している。
【０００９】
このように、整地体はリヤカバー体の先端部の後方に第一姿勢と第二姿勢に変更自在に取り付けているため、整地体の姿勢を変更することで水田、畑等の性状の異なる圃場に適用することができる。
【００１０】
しかも、第二姿勢では、整地体の整地面から立ち上がり状に形成した前面としての耕耘土一時滞留生起面部を、リヤカバー体の先端部と前後方向に一定幅離隔状態に配置して、同耕耘土一時滞留生起面部の直前方に耕耘土一時滞留空間を形成しているため、砂地の畑地においても耕耘土である砂は、リヤカバー体の先端部の整地面に整地されると共に、耕耘土一時滞留生起面部で進行方向へ押圧されながら、整地体の整地面で整地される。この際、耕耘土一時滞留生起面部で進行方向へ押圧される砂は、耕耘土一時滞留生起面部の直前方に形成した耕耘土一時滞留空間に一時的に滞留された状態で進行方向へ移送されて、砂地に形成された耕耘跡等の凹部に充填される。そして、その充填面は整地体の整地面で整地される。その結果、砂地の凹凸部を堅実に均平化させて整地することができて、圃場の仕上げ面としての美観を高めることができる。
【００１１】
（２）請求項２に記載の発明は、整地体の耕耘土一時滞留生起面部の上部には、土こぼれ防止体を前方へ張り出し状に設けて、第二姿勢では、土こぼれ防止体をリヤカバー体の先端部に対向状態に近接状態に配置すると共に、同土こぼれ防止体で前記耕耘土一時滞留空間の上方を被覆している。
【００１２】
このように、第二姿勢では、リヤカバー体の先端部の直後方位置に土こぼれ防止体を対向状態に近接状態に配置しているため、リヤカバー体と整地体との間から土こぼれが生じるのを防止することができる。そして、土こぼれ防止体で耕耘土一時滞留空間の上方を被覆しているため、堅実に土こぼれが防止されると共に、耕耘土一時滞留空間内に耕耘土を一時的に滞留させることができる。そのため、圃場の凹部への充填耕耘土量を確保することができる。その結果、この点からも均平性能を向上させることができる。
【００１３】
（３）請求項３に記載の発明は、リヤカバー体の先端縁部の後方に取付体を介して整地体を取り付けたロータリ耕耘装置であって、整地体は、取付体を介してリヤカバー体の先端部への取付姿勢を変更自在となすと共に、この取付姿勢は整地体の下面に形成した整地面とリヤカバー体の先端部の下面に形成した整地面を略同一平面上に配置した第一姿勢と、整地体の整地面とリヤカバー体の先端部の整地面とを段差をもたせて配置した第二姿勢とに変更自在となし、整地体の整地面から立ち上がり状に前面を形成して、同前面を耕耘土一時滞留生起面部となして、第二姿勢では、上記耕耘土一時滞留生起面部とリヤカバー体の先端部とを前後方向に一定幅離隔させて、耕耘土一時滞留生起面部の直前方に耕耘土一時滞留空間を形成し、前記整地体の整地面と耕耘土一時滞留生起面部とが接続する接続部は、前記第一姿勢では圃場面と接触しない非接地面部となす一方、前記第二姿勢では圃場面と接触する接地面部となすと共に、接地面部は圃場面と接触する面の曲率半径を小となして整地面と略線接触するようにしている。
【００１４】
このように、第二姿勢では、圃場耕耘面を整地するのに必要な土砂を耕耘土一時滞留空間に一時的に滞留させることができるため、砂地等畑地での耕耘性能（均平性能）を向上させることができる。その結果、畑向けのリヤカバーとなすことができる。この際、整地体の整地面と耕耘土一時滞留生起面部とが接続する接続部を圃場面と略線接触する接地面部となしている。そのため、接地面部の接地面積を可及的に小さくすることができる。その結果、接地面部が圃場面に作用する整地圧を可及的に高くすることができて、整地体の見掛けの重量を大きくすることができる。したがって、砂地等畑地での均平性を向上させることができる。ところで、従来の構造では接地圧を高くしようとすると、整地体の重量を大きくしなければならない。そのため、整地体の着脱作業や姿勢変更作業が煩雑になる。その点、請求項３に係る発明では、整地体を第一姿勢から接地圧の高い第二姿勢に楽に姿勢変更することができる。したがって、均平性とともに作業性能も高めることができる。
【図面の簡単な説明】
【００１５】
【図１】本発明に係る第１実施形態としてのロータリ耕耘装置の斜視図。
【図２】上記ロータリ耕耘装置の平面図。
【図３】上記ロータリ耕耘装置の側面図。
【図４】リヤカバー体と整地体の連結解除状態での側面図。
【図５】リヤカバー体と整地体の連結解除状態での斜視説明図。
【図６】リヤカバー体と整地体の連結解除状態での側面説明図。
【図７】整地体の第一姿勢を示す側面説明図。
【図８】整地体の第二姿勢を示す側面説明図。
【図９】本発明に係る第２実施形態としてのリヤカバー体と整地体の連結解除状態での側面説明図。
【図１０】上記整地体の第一姿勢を示す側面説明図。
【図１１】上記整地体の第二姿勢を示す側面説明図。
【発明を実施するための形態】
【００１６】
以下に本発明の実施形態（第１実施形態と第２実施形態）を、図面を参照しながら説明する。
【００１７】
［第１実施形態］
図１〜図３に示すＡは本発明に係る第１実施形態としてのロータリ耕耘装置である。かかるロータリ耕耘装置Ａはトラクタ等の牽引車（図示せず）に牽引されながら圃場を耕耘することができるように構成している。
【００１８】
すなわち、ロータリ耕耘装置Ａは、図１〜図３に示すように、耕耘動力を伝達する伝動機構と支持機構とを兼ねる伝動・支持機構部１と、同伝動・支持機構部１に取り付けた耕深調整部２及び耕耘カバー部３とを備えている。
【００１９】
そして、伝動・支持機構部１は、前面中央部と左右側部が開口して前記牽引車から動力を取り入れる伝動ギヤを収容した板金製のギヤボックス４と、同ギヤボックス４の左右側端部に内側面部を接続した左右一対の板状の連結用ブラケット５,６と、両連結用ブラケット５,６の外側面部に内側端面を接続して外側方（左右方向）に伸延させた左右一対の円筒状のメインビーム７,８と、左側のメインビーム７の外側端面に上端内側面部を接続して下方へ伸延させた伝動ケース９と、同伝動ケース９に左右に対向させると共に右側のメインビーム８の外側端面に上端部を接続して下方へ伸延させた軸受け体１０と、同軸受け体１０の下端部と上記伝動ケース９の下端部との間に横架した耕耘軸１１とから形成している。耕耘軸１１の周面には多数の耕耘爪１２を軸線方向に間隔を開けて取り付けている。
【００２０】
また、図２に示すように、連結用ブラケット５,６はそれぞれ前後方向に伸延する板状に形成して、内側面中途部をギヤボックス４の左右側部に開口した開口部４ａ,４ａに面接させて連設している。連結用ブラケット５,６の各前端部には連結用ピン５ａ,６ａを外側方に突出させている。両連結用ピン５ａ,６ａには、牽引車に前端部を連結した左右一対のロワリンク（図示せず）の後端部を連結するようにしている。
【００２１】
図３に示すように、ギヤボックス４の前面中央部に開口した開口部から入力軸（図示せず）を前方に向けて突出させている。入力軸にはギヤボックス４内に配設した伝動ギヤ（図示せず）を連動連結している。同伝動ギヤと伝動ケース９内に配設したチェーン機構等の伝動機構（図示せず）との間には、左右方向に伸延する伝動軸１４を左側のメインビーム７中を通して介設している。同伝動軸１４の左側端部と前記耕耘軸１１の左側端部との間に上記伝動機構を介設している。
【００２２】
このようにして、伝動・支持機構部１では、牽引車の動力取出軸から動力を→入力軸１３→伝動ギヤ→伝動軸１４→伝動ケース９内の伝動機構→耕耘軸１１に取り入れて、同耕耘軸１１を回動させることで耕耘爪１２により圃場を耕耘するようにしている。
【００２３】
耕深調整部２は、図１〜図３に示すように、前記ギヤボックス４の上面中央部に載設した連結ブラケット１５と、前記左右一対の連結用ブラケット５,６の後端部に前端部を連結した耕深フレーム枠体１６と、同耕深フレーム枠体１６の中途部と上記連結ブラケット１５の後端部との間に介設した深耕調整作動操作体１７とを具備している。
【００２４】
そして、連結ブラケット１５は、ギヤボックス４の上面中央部にステー１５ｃを介して、下方へ凸状に湾曲させて形成した左右一対のブラケット片１５ａ,１５ａの下端中途部を連設している。両ブラケット片１５ａ,１５ａの前端部間に連結ピン１５ｂを架設している。連結ピン１５ｂには、牽引車に前端部を連結したトップリンク（図示せず）の後端部を連結するようにしている。
【００２５】
また、耕深フレーム枠体１６は、前後方向に伸延する左右一対の前後伸延片１６ａ,１６ａと、左右方向に伸延させて両前後伸延片１６ａ,１６ａの中途部間に横架した左右伸延中途部片１６ｂと、左右方向に伸延させて両前後伸延片１６ａ,１６ａの後端部間に架設した左右伸延後端部片１６ｃとから平面視格子枠状に形成している。左右一対の前後伸延片１６ａ,１６ａは、左右一対の連結用ブラケット５,６の後端部に前端部を連設している。
【００２６】
深耕調整作動操作体１７は、図１〜図３に示すように、上下方向に伸延する作動片１７ａと、同作動片１７ａの上端部にその軸線廻りに正・逆回転自在に取り付けたハンドル状の回転操作片１７ｂとを具備して、回転操作片１７ｂを正・逆回転させることで作動片１７ａを軸線方向に伸縮させることができるように構成している。そして、前記左右一対のブラケット片１５ａ,１５ａの後端部間に左右方向の軸線廻りに回動自在に枢支片１５ｄを枢支し、同枢支片１５ｄに作動片１７ａの上端部を連結している。また、作動片１７ａの下端部は左右伸延中途部片１６ｂの中央部に連結している。
【００２７】
このようにして、回転操作片１７ｂを正・逆回転させて作動片１７ａを伸縮させると、左右一つのロワリンクとトップリンクに連結した伝動・支持機構部１を前傾姿勢と後傾姿勢との間で姿勢変更して、耕耘爪１２による耕耘深さを調整することができるようにしている。
【００２８】
耕耘カバー部３は、図１〜図３に示すように、伝動ケース９と軸受け体１０との間に開設したロータリカバー体１８と、同ロータリカバー体１８の後端縁部１８ｃに基端縁部１９ｂを枢支・連結したリヤカバー体１９と、同リヤカバー体１９の先端縁部１９ｃに取り付けた整地体２０と、上記ロータリカバー体１８の中途部と前記連結ブラケット１５の右側中途部との間に介設したリヤカバー調整体２１と、上記ロータリカバー体１８の左右側後端縁部に前端縁部を連結したサイドカバー体２２,２２とを具備している。
【００２９】
そして、ロータリカバー体１８は、図１〜図３に示すように、側面視にて略扇状に形成した左右一対の側方カバー片１８ａ,１８ａの先細り状下部を耕耘軸１１の外周左右側部に枢支して、両側方カバー片１８ａ,１８ａの上端縁部を上方へ凸状の円弧状に形成し、両上端縁部間に上方カバー片１８ｂを架設して正面視門型に形成している。
【００３０】
リヤカバー体１９は、図４〜図８に示すように、前記上方カバー片１８ｂの後端縁部１８ｃに、同後端縁部１８ｃの左右幅と略同一幅の四角形状に形成したリヤカバー本片１９ａの基端縁部１９ｂを、左右方向に軸線を向けた枢軸２３により枢支して、上方カバー片１８ｂの後端縁部１８ｃから垂下状となしている。そして、リヤカバー体１９は枢軸２３を中心にリヤカバー本片１９ａを上下揺動自在となしている。また、リヤカバー本片１９ａの先端縁部１９ｃは、上方さらには前方へカール状に巻き返して屈曲形成することで、同先端縁部１９ｃの強度を補強している。先端縁部１９ｃの下端面には整地面１９ｄを形成して、同整地面１９ｄを耕耘した圃場面上に滑動させて圃場面を堅実に整地するようにしている。リヤカバー本片１９ａの上面側左右側部には、上下方向に伸延する左右一対の支持兼補強ブラケット１９ｅ,１９ｅを取り付けている。
【００３１】
リヤカバー体１９の先端縁部１９ｃには、図４〜図８に示すように、取付体２４,２４を介して整地体２０を着脱自在かつ姿勢変更自在に取り付けて、同整地体２０により圃場の整地効果を増大させることができるようにしている。
【００３２】
整地体２０は、図４〜図８に示すように、リヤカバー体１９の先端縁部１９ｃの左右幅と略同一幅の四角形状に整地体本片２０ａを形成している。整地体本片２０ａは、中途部を下方へ膨出させてソリ状に形成している。そして、整地体本片２０ａの前端縁部は前上方へ屈曲させると共に、上方へ立ち上がり状に伸延させて整地体２０の前面を形成して、同前面を耕耘土一時滞留生起面部２０ｂとなしている。耕耘土一時滞留生起面部２０ｂの上部には、左右幅方向に伸延する円筒状の土こぼれ防止体２０ｃを前方へ張り出し状に設けている。整地体本片２０ａの上端縁部は、土こぼれ防止体２０ｃの後部周面に略沿わせて前方へ折曲している。なお、土こぼれ防止体２０ｃとしては、上記耕耘土一時滞留生起面部２０ｂの上端縁部を前方へ屈曲させて一体的に形成することもできる。整地体本片２０ａの下端面には整地面２０ｄを形成して、同整地面２０ｄを耕耘した圃場面上に滑動させて圃場面をより一層堅実に整地するようにしている。左右側端部には側壁片２０ｅ,２０ｅを取り付けて、整地体２０の剛性を良好に確保している。図１〜図３に示す２０ｆは補助整地体であり、同補助整地体２０ｆは、整地体２０の左右側端部に外側方に延設・張り出し状となした使用姿勢と、整地体２０上に折り畳み状となした収納姿勢とに姿勢変更自在となしている。
【００３３】
リヤカバー調整体２１は、図１〜図３に示すように、上下方向に伸延する作動片２１ａと、同作動片２１ａの上端部にその軸線廻りに正・逆回転自在に取り付けたハンドル状の回転操作片２１ｂとを具備して、回転操作片２１ｂを正・逆回転させることで作動片２１ａを軸線方向に伸縮させることができるように構成している。そして、前記上方カバー片１８ｂの後側中途部と前記連結ブラケット１５の右側中途部より右側方に延設した支持片２５との間に作動片２１ａを介設している。
【００３４】
このようにして、前記した耕深調整時に、回転操作片２１ｂを正・逆回転させて作動片２１ａを伸縮させることで、ロータリカバー体１８を耕耘軸１１の軸芯を中心にして前後方向に回動調整して、同ロータリカバー体１８に取り付けたリヤカバー体１９の先端縁部１９ｃの整地面１９ｄが、圃場面に接地する高さに整合するように調整することができるようにしている。
【００３５】
サイドカバー体２２,２２は、図１〜図３に示すように、それぞれ板状に形成して、前記側方カバー片１８ａ,１８ａの左右側後端縁部に前端縁部２２ａ,２２ａを連結して、側方カバー片１８ａ,１８ａの後端縁部からリヤカバー体１９の側端縁部までの側方を閉塞している。
【００３６】
また、ロータリカバー体１８とリヤカバー体１９との間には、図１〜図３に示すように、上下方向に伸延する左右一対のハンガーロッド２６,２６を介設して、両ハンガーロッド２６,２６によりリヤカバー体１９を支持すると共に、同リヤカバー体１９の先端縁部１９ｃが下方から上方へ突き上げられる外力を弾性手段としての圧縮スプリング２７,２７により吸収することができるようにしている。２８はハンガーロッド２６の上部を支持する上部ステー、３０はハンガーロッド連結孔２９を介してハンガーロッド２６の下部を支持する下部ステーの機能も果たす取付片である。
【００３７】
各取付体２４は、図４〜図８に示すように、リヤカバー体１９側に設けた取付片３０と整地体２０側に設けた被取付片３１とから形成している。
【００３８】
各取付体２４を形成する取付片３０は、図４〜図６に示すように、各支持兼補強ブラケット１９ｅの左右側面下端部から先端縁部１９ｃの上面に沿わせて同先端縁部１９ｃの先端位置まで伸延する左右一対の取付本片３０ａ,３０ａを上方へ膨出状に形成している。
【００３９】
左右一対の取付本片３０ａ,３０ａの後縁部間には、図４〜図６に示すように、左右方向に軸線を向けて伸延する支軸片３２ａ,３２ｂを上下方向に間隔を開けて架設して取付片側係合部３２を形成している。また、左右一対の取付本片３０ａ,３０ａの中途部間には、各支軸片３２ａ,３２ｂの前上方に位置させて左右方向に開口する複数（本実施形態では各取付本片３０ａに二個ずつ）の取付片側連結孔３３ａ,３３ａ,３３ｂ,３３ｂを、上下方向に間隔を開けて開口させている。しかも、取付片側連結孔３３ａ,３３ａの中心から支軸片３２ａの軸芯までの間隔と、取付片側連結孔３３ｂ,３３ｂの中心から支軸片３２ｂの軸芯までの間隔は、等間隔となして取付片側連結部３３を形成している。
【００４０】
取付体２４の他方を形成する被取付片３１は、図４〜図６に示すように、前記取付片３０,３０と前後方向に対向する整地体本片２０ａの左右側基端（前端）縁部の位置にそれぞれ設けている。そして、被取付片３１は、前記取付本片３０ａ,３０ａの左右間隔よりもやや広幅に左右方向に伸延する基部本片３１ａと、同基部本片３１ａの左右側端部から前方へ伸延させた左右一対の伸延片３１ｂ,３１ｂと、基部本片３１ａを支持する支持片３１ｃとから形成している。
【００４１】
整地体本片２０ａの基端（前端）縁部において、左右一対の伸延片３１ｂ,３１ｂ間に位置する部分は一部切り欠いて、同切り欠き部分に前記支軸片３２ａないしは支軸片３２ｂに上方から係合するフック状の係合片３４ａを設けることで、左右一対の伸延片３１ｂ,３１ｂ間に被取付片側係合部３４を形成している。
【００４２】
左右一対の伸延片３１ｂ,３１ｂの先端部には、左右方向に開口する被取付片側連結孔３５ａ,３５ａを開口させることで、被取付片側連結部３５を形成している。そして、被取付片側連結孔３５ａ,３５ａは、前記支軸片３２ａを支点として前記取付片側連結孔３３ａ,３３ａと左右方向に符合する一方、前記支軸片３２ｂを支点として前記連結孔３３ｂ,３３ｂと左右方向に符合するようにしている。
【００４３】
そして、図６に示すように、支軸片３２ａに係合片３４ａを係合させて、同支軸片３２ａを支点として取付片側連結孔３３ａ,３３ａと被取付片側連結孔３５ａ,３５ａとを符合させ、これら連結孔中に連結ピン３６を抜き差し自在に挿通して、取付片３０と被取付片３１とを連結することで、整地体２０の姿勢を図７に示す第一姿勢（ａ）となすことができるようにしている。３７は抜け止めピンである。
【００４４】
かかる第一姿勢（ａ）では、図７にも示すように、整地体２０の下面に形成した整地面２０ｄと、リヤカバー体１９の先端縁部１９ｃの下面に形成した整地面１９ｄとが、略同一平面である略同一圃場整地面Ｐ１上に配置されるようにしている。ここで、土こぼれ防止体２０ｃは、リヤカバー体１９の先端縁部１９ｃの直上方位置に配置されると共に、耕耘土一時滞留生起面部２０ｂとリヤカバー体１９の先端縁部１９ｃとは前後方向に近接状態に配置されるようにしている。
【００４５】
一方、図６に示すように、支軸片３２ｂに係合片３４ａを係合させて、同支軸片３２ｂを支点として取付片側連結孔３３ｂ, ３３ｂと、被取付片側連結孔３５ａ,３５ａとを符合させ、これら連結孔中に連結ピン３６を抜き差し自在に挿通して、取付片３０と被取付片３１とを連結することで、整地体２０の姿勢を図８に示す第二姿勢（ｂ）となすことができるようにしている。
【００４６】
かかる第二姿勢（ｂ）では、図８にも示すように、先行圃場整地面Ｐ２を形成するリヤカバー体１９の先端縁部１９ｃの整地面１９ｄと、後続圃場整地面Ｐ３を形成する整地体２０の整地面２０ｄとが略平行に段差（整地面１９ｄが上方位置で整地面２０ｄが下方位置）を形成して配置されるようにしている。ここで、土こぼれ防止体２０ｃは、リヤカバー体１９の先端縁部１９ｃの直後方位置に配置されると共に、整地体２０の耕耘土一時滞留生起面部２０ｂとリヤカバー体１９の先端縁部１９ｃとは、前後方向に一定幅離隔されて、耕耘土一時滞留生起面部２０ｂの直前方に耕耘土一時滞留空間Ｓが形成されるようにしている。具体的には、耕耘土一時滞留生起面部２０ｂとリヤカバー体１９の先端縁部１９ｃとは前後方向に一定幅離隔されると共に、その離隔幅Ｌは整地体２０の整地面２０ｄとリヤカバー体１９の先端縁部１９ｃの整地面１９ｄとの段差幅Ｚと同等ないしは段差幅Ｚの略１.５倍となるようにしている。従って、耕耘土一時滞留空間Ｓの容積は、段差幅Ｚと離隔幅Ｌと耕耘土一時滞留生起面部２０ｂの左右幅との積の値に近似する。
【００４７】
そして、第二姿勢（ｂ）では、土こぼれ防止体２０ｃがリヤカバー体１９の先端縁部１９ｃに前後方向に対向して近接状態に配置されると共に、同土こぼれ防止体２０ｃで前記耕耘土一時滞留空間Ｓの上方が被覆されるようにしている。
【００４８】
結局、整地体２０は、取付体２４,２４を介して、土こぼれ防止体２０ｃがリヤカバー体１９の先端縁部１９ｃの直上方位置から直後方位置に移動されると共に、耕耘土一時滞留生起面部２０ｂがリヤカバー体１９の先端縁部１９ｃに近接した位置から一定幅離隔した位置に移動されて、第一姿勢（ａ）から第二姿勢（ｂ）に姿勢変更されるようにしている。また、整地体２０は上記とは反対に移動されて、第二姿勢（ｂ）から第一姿勢（ａ）に姿勢変更されるようにしている。
【００４９】
本発明に係る実施形態は上記のように構成しているものであり、整地体２０はリヤカバー体１９の先端縁部１９ｃの後方に図７に示す第一姿勢（ａ）と図８に示す第二姿勢（ｂ）に変更自在に取り付けているため、整地体２０の姿勢を変更することで水田、畑等の性状の異なる圃場に適用することができる。例えば、整地体２０の姿勢は、水田では第一姿勢（ａ）、砂地の畑等では第二姿勢（ｂ）を採択することができる。
【００５０】
すなわち、第一姿勢（ａ）では、耕耘土一時滞留生起面部２０ｂとリヤカバー体１９の先端縁部１９ｃとが前後方向に近接状態に配置されて、整地体２０の整地面２０ｄとリヤカバー体１９の先端縁部１９ｃの整地面１９ｄが略同一平面Ｐ上に近接状態に配置されるため、これら整地面１９ｄ,２０ｄに土塊や残渣物等が引っ掛かることがなく、また、これら整地面１９ｄ,２０ｄ間から整地体２０の上面側に土こぼれが生じるのを防止することができる。その結果、これらの整地面１９ｄ,２０ｄを機能上一つの整地面とみなすことができて、第一姿勢（ａ）は水田整地に好適な姿勢となすことができる。
【００５１】
そして、第二姿勢（ｂ）では、整地体２０の整地面２０ｄから立ち上がり状に形成した前面としての耕耘土一時滞留生起面部２０ｂが、リヤカバー体１９の先端縁部１９ｃと前後方向に一定幅離隔状態に配置されて、同耕耘土一時滞留生起面部２０ｂの直前方に耕耘土一時滞留空間Ｓが形成されるため、砂地の畑地においても耕耘土である砂は、リヤカバー体１９の先端縁部１９ｃの整地面１９ｄに整地されると共に、耕耘土一時滞留生起面部２０ｂで進行方向へ押圧されながら、整地体２０の整地面２０ｄで整地される。
【００５２】
この際、耕耘土一時滞留生起面部２０ｂで進行方向へ押圧される砂は、耕耘土一時滞留生起面部２０ｂの直前方に形成した耕耘土一時滞留空間Ｓに一時的に滞留された状態で進行方向へ移送されて、砂地に形成された耕耘跡等の凹部に充填される。そして、その充填面は整地体２０の整地面２０ｄで整地される。その結果、砂地の凹凸部を堅実に均平化させて整地することができて、圃場の仕上げ面としての美観を高めることができる。
【００５３】
特に、第二姿勢（ｂ）では、耕耘土一時滞留生起面部２０ｂとリヤカバー体１９の先端縁部１９ｃとが前後方向に一定幅離隔されると共に、その離隔幅Ｌは整地体２０の整地面２０ｄとリヤカバー体１９の先端縁部１９ｃの整地面１９ｄとの段差幅Ｚと同等ないしは段差幅の略１.５倍となしているため、リヤカバー体１９の先端縁部１９ｃの整地面２０と整地体２０の整地面２０ｄとの間に耕耘土一時滞留空間Ｓとしては十分な空間が確保される。そのため、凹部を充填するのに必要とされる充填耕耘土量を耕耘土一時滞留空間Ｓ内に確保することができて、凹部を堅実に充填することができると共に整地することができる。その結果、第二姿勢（ｂ）は特に砂地等の畑地整地に好適な姿勢となすことができて、均平性能を向上させることができる。
【００５４】
ここで、前記した離隔幅Ｌは、段差幅Ｚの略１.５倍よりも大きくすると、リヤカバー体１９の先端縁部１９ｃからの整地体２０の前後長が長くなり、耕耘爪軸から整地体２０の先端縁部までの距離が長くなる。そのため、機体を後進させることや、畝ぎりぎりでロータリ耕耘装置Ａを降下して駆動しながら前進させることがある枕地整地作業時には、未耕地部分が多くなり、作業効率が低下するという不具合がある。
【００５５】
また、第二姿勢（ｂ）では、リヤカバー体１９の先端縁部１９ｃの直後方位置に土こぼれ防止体２０ｃが前後対向状態にて近接状態に配置されているため、リヤカバー体１９と整地体２０との間から整地体２０の上面側に土こぼれが生じるのを防止することができる。そして、土こぼれ防止体２０ｃで耕耘土一時滞留空間Ｓの上方を被覆しているため、堅実に土こぼれが防止されると共に、耕耘土一時滞留空間Ｓ内に耕耘土を一時的に滞留させることができる。そのため、圃場の凹部への充填耕耘土量を確保することができる。その結果、この点からも均平性能を向上させることができる。
【００５６】
［第２実施形態］
図９〜図１１は、本発明に係る第２実施形態としてのロータリ耕耘装置Ａのリヤカバー体１９と整地体２０を図示している。第２実施形態としてのロータリ耕耘装置Ａは、第１実施形態のロータリ耕耘装置Ａと基本的構造を同じくしているが、リヤカバー体１９及び整地体２０の一部の構造において構成を異にする。
【００５７】
すなわち、整地面２０ｄを形成する整地体２０の整地体本片２０ａの前端縁部から略垂直に上方へ立ち上げて耕耘土一時滞留生起面部２０ｂを形成している。このようにして、整地体２０の整地体本片２０ａの前端縁部と耕耘土一時滞留生起面部２０ｂの下端縁部とが略直交状態に接続（側面視略９０度の角部を形成）する接続部４０となしている。そして、接続部４０は、第一姿勢（ａ）では圃場面（略同一圃場整地面Ｐ１）と接触しない非接地面部となす一方、前記第二姿勢（ｂ）では圃場面（後続圃場整地面Ｐ３）と接触する接地面部となしている。しかも、接地面部は圃場面と接触する面の曲率半径を可及的に小となして圃場面（後続圃場整地面Ｐ３）と略線接触するようにしている。換言すると、整地体２０の前下側部に角部を形成する接続部４０は後続圃場整地面Ｐ３に略線接触するものの、整地面２０ｄは接続部４０を支点として上方へ跳ね上げられて後続圃場整地面Ｐ３とは非接触状態の姿勢を採るようにしている。
【００５８】
第２実施形態は上記のように構成しており、第二姿勢（ｂ）では、第１実施形態における場合と同様に、圃場耕耘面を整地するのに必要な土砂を耕耘土一時滞留空間Ｓに一時的に滞留させることができる。そのため、砂地等畑地での耕耘性能（均平性能）を向上させることができる。その結果、リヤカバー体１９と整地体２０とを一体的に協働させて、畑向けのリヤカバーとして機能させることができる。
【００５９】
この際、整地体２０は跳ね上げ姿勢となすことで、整地体２０の整地面２０ｄと耕耘土一時滞留生起面部２０ｂとが接続する接続部４０だけが圃場面（後続圃場整地面Ｐ３）と略線接触する接地面部となすことができる。そのため、接地面部の接地面積を整地面２０ｄが面接触する場合に比してきわめて小さくすることができる。その結果、接地面部である接続部４０だけが圃場面（後続圃場整地面Ｐ３）に作用する整地圧を、整地面２０ｄが面接触する場合に比してきわめて高くすることができて、整地体２０の見掛けの重量を大きくすることができる。したがって、砂地等畑地での均平性を向上させることができる。しかも、整地体２０を第一姿勢（ａ）から接地圧の高い第二姿勢（ｂ）に楽に姿勢変更することができるため、均平性能とともに作業性能も高めることができる。
【００６０】
また、取付片側係合部３２と取付片側連結部３３を適宜増設することで、整地体２０の第二姿勢（ｂ）における跳ね上げ姿勢の角度を調整して、整地面２０ｄが圃場面と面接触する面積（前後幅）を調整することもできる。そうすることで、整地面２０ｄが圃場面に作用する接地圧、換言すると整地体２０の見掛けの重量を変更することができる。その結果、圃場や作業に適応させてリヤカバー体１９に対する整地体２０の姿勢を適宜変更することができる。したがって、リヤカバー体１９への整地体２０の取付姿勢の選択により、水田、畑等、性状の異なる圃場に簡単かつ迅速に適応させることができる。
【００６１】
なお、第一姿勢（ａ）となした整地体２０は、土塊や残渣物が引っ掛からず、機能上、仮想の一つの広いリヤカバー体整地面とみなすことができる。また、土塊や残渣物が引っ掛けないため、耕耘後の圃場表面を荒らすことがなく水田での耕耘性能を低下させることがない。その結果、リヤカバー体１９と整地体２０とを一体的に協働させて、水田向けのリヤカバーとして機能させることができる。
【産業上の利用可能性】
【００６２】
砂地でも堅実に整地することができるリヤカバー体と整地体との取付構造を提供することができる。
【符号の説明】
【００６３】
Ａ  ロータリ耕耘装置
１  伝動・支持機構部
２  耕深調整部
３  耕耘カバー部
４  ギヤボックス
５,６  連結用ブラケット
７,８  メインビーム
１９  リヤカバー体
２０  整地体
３０  取付片
３１  被取付片
３２  取付片側係合部
３３  取付片側連結部
３４  被取付片側係合部
３５  取付片側連結部
【図１】
2010279351.tif 000003
【図２】
2010279351.tif 000004
【図３】
2010279351.tif 000005
【図４】
2010279351.tif 000006
【図５】
2010279351.tif 000007
【図６】
2010279351.tif 000008
【図７】
2010279351.tif 000009
【図８】
2010279351.tif 000010
【図９】
2010279351.tif 000011
【図１０】
2010279351.tif 000012
【図１１】
2010279351.tif 000013